(57)【要約】【課題】本発明の戸装置の課題は、スペース的に普段の生活の邪魔にならず、普段使用していない場所に植物などの物品を置くための新たなスペースを作り出すことにある。【解決手段】建築物１０１に設けられたサッシュ１０２に着脱可能および移動可能に取付けられる本体枠１と、建築物の外側に位置して本体枠１に取付けられて下面部、上面部およびこれら下面部と上面部とを結ぶ上下方向に沿う面部を形成する支持枠２と、下面部を除く支持枠２で形成される各面部に配置されて支持枠２に取付けられ支持枠２の内部と外部とを仕切り多面体の空間部Ｎを形作る仕切り体の一例である網３と、支持枠２に形成された下面部に設けられ植物を植えた鉢Ｈを載置する鉢載置部５を備えた載置台４とを具備するものである。【選択図】　　図２
2004092192.tif 000002
【特許請求の範囲】
【請求項１】
建築物に設けられたサッシュに着脱可能且つ移動可能に取付けられる本体枠と、前記建築物の外側に位置して前記本体枠に取付けられて下面部、上面部およびこれら下面部と上面部とを結ぶ上下方向に沿う面部を形成する支持枠と、前記下面部を除く前記支持枠で形成される各面部に配置されて前記支持枠に取付けられ前記支持枠の内部と外部とを仕切り前記支持枠の内部に空間部を形成する仕切り体と、前記支持枠で形成された下面部に設けられ物品を載置する物品載置部を備えた載置台とを具備することを特徴とする戸装置。
【発明の詳細な説明】
【０００１】
【発明の属する技術分野】
本発明は戸装置に関する。
【０００２】
【従来の技術】
現在、自然が失われつつある都市では人々が自然を求める要求が強まりつつあり、このような背景の下にガーデニングが広まりつつある。このガーデニングは生活環境の中に草花や木々や設けて生活のなかに自然を取り込むもので、家の庭、ベランダ、室内に草花や木々を植える、あるいは草花や木々を植えた鉢を置いて植物に囲まれた環境を作り出そうとするものである。
【０００３】
【発明が解決しようとする課題】
しかし、現在のガーデニングは家の庭に草花や木々を置くことが中心であり、また庭（建築物）に草花や木々を置く場合も家のベランダや家の室内の今などを利用している。すなわち、現在のガーデニングはある程度広いスペースを利用して行われている。
【０００４】
ところが、都会で生活するかなりの多くの人々が生活の中に草花や木々を置きたいという要望を持ちながら、実際には草花や木々を置くスペースがある庭を持つ家庭はそれ程多くはなく、またスペース的に草花や木々を置く余裕があるベランダや室内の広さを持った家庭もそれ程多くは無い。特に単身で生活している若者などは比較的居住空間が狭いために前記の傾向が強い。
【０００５】
従って、従来からスペース的に普段の生活の邪魔にならず、普段使用していない場所に草花や木々などの植物を置くための新たなスペースをつくり出して、気軽にガーデニングを行うことができる道具が開発、販売されることが要望されていた。
【０００６】
本発明は、スペース的に普段の生活の邪魔にならず、普段使用していない場所に植物などの物品を置くための新たなスペースを作り出すことができる戸装置を提供するものである。
【０００７】
【課題を解決するための手段】
本発明の戸装置は、建築物に設けられたサッシュに着脱可能且つ移動可能に取付けられる本体枠と、前記建築物の外側に位置して前記本体枠に取付けられて下面部、上面部およびこれら下面部と上面部とを結ぶ上下方向に沿う面部を形成する支持枠と、前記下面部を除く前記支持枠で形成される各面部に配置されて前記支持枠に取付けられ前記支持枠の内部と外部とを仕切り前記支持枠の内部に空間部を形成する仕切り体と、前記支持枠で形成された下面部に設けられ物品を載置する物品載置部を備えた載置台とを具備することを特徴とする。
【０００８】
【発明の実施の形態】
本発明の一実施の形態について図１ないし図５を参照して説明する。
この実施の形態は、本発明の戸装置を建築物に設けたサッシュに取付ける出窓型の網戸であって、植物を植えた鉢を載置台に載置するために適用したものである。図１は戸装置およびサッシュを示す前面図、図２は戸装置を示す斜視図、図３（ａ）は戸装置を示す後面図、（ｂ）は同側面図および（ｃ）は同平面図、図４（ａ）は戸装置に設ける載置台を示す後面図、（ｂ）は同側面図および（ｃ）は同平面図である。
【０００９】
図１において１０１は建築物、１０２はこの建築物１０１の窓に設けられたサッシュである。このサッシュ１０２は建築物１０１の窓に嵌め込まれて取付けられる外枠１０３と、この外枠１０３の内部に開閉自在に支持される引き戸形の左右一対の戸枠１０４（図１では一方のみを示す。）とを備えたもので、これら戸枠１０４にはガラス板１０５が取付けられている。外枠１０３の上部と下部には夫々戸枠１０４を支持するレール１０６が左右水平方向に沿って設けられている。このサッシュ１０２には半間（サッシュ１０２の幅の半分の幅）の大きさの戸装置１０７が設けられている。外枠１０３の上部と下部にはガラス戸用レール１０６の外側にこれと平行に戸装置１０７用のレール１０８が左右水平方向に沿って設けられている。
【００１０】
この戸装置１０７は出窓型の網戸を構成するものである。この戸装置１０７は、建築物１０１に設けられた外枠１０３に着脱可能に取付けられる本体枠１、建築物１０１の外側に位置して本体枠１に取付けられて下面部、上面部およびこれら下面部と上面部とを結ぶ上下方向に沿う面部を形成して多面体を形作る支持枠２と、下面部を除く支持枠２で形成される各面部に配置されて支持枠２に取付けられ支持枠２の内部と外部とを仕切り三次元の空間部Ｎを形作る仕切り体の一例である網３と、支持枠２に形成された下面部に設けられ物品載置部の一例として植物を植えた鉢Ｈを載置する鉢載置部５を有する載置台４とを備えている。
【００１１】
本体枠１は幅が半間の大きさを有するもので、アルミニウムなどの軽量で強度が高い金属からなる左右両側の一対の縦枠体１１ａ、１１ｂと上下一対の横枠体１２ａ、１２ｂを組みわせて固定した四角形の枠体である。本体枠１の上側の横枠体１２ａには幅方向に沿って溝１３が形成され，下側の横枠体１２ｂには複数の移動用のローラ１４が幅方向に並べて取付けられている。
【００１２】
支持枠２は本体枠１の外側に位置して本体枠１に取付けられている。支持枠２は、左右両側の一対の縦枠体１５ａ、１５ｂと、上下一対の横枠体１６ａ、１６ｂと、上側左右一対の支持枠体１７ａ、１７ｂと、下側左右一対の支持枠体１８ａ、１８ｂとを組合せて構成されている。一対の縦枠体１５ａ、１５ｂと一対の横枠体１６ａ、１６ｂは一体に連結されて四角形の枠を構成している。上側左右一対の支持枠体１７ａ、１７ｂと下側左右一対の支持枠体１８ａ、１８ｂは、本体枠１の上下左右の各隅角部に外側へ向けて取付けられ、一対の縦枠体１５ａ、１５ｂと一対の横枠体１６ａ、１６ｂを支持している。これにより支持枠２は前面部、左面部、右面部、上面部および下面部を構成し、網３と組合せてこれら各面部で囲まれた多面体の空間部Ｎを形作ることを可能としている。
【００１３】
ここで、前面部はサッシュと平行な垂直面をなし、左面部および右面部は外部へ向かうに従い互いに接近するように傾斜した垂直面をなし、上面部は外部に向けて幅が小さくなる台形をなすとともに外部へ向けて低くなるように傾斜した平面であり、下面部は外部に向けて幅が小さくなる台形をなす水平面である。
【００１４】
支持枠２の前面部、左面部および右面部には夫々網３が配置され、この網３は本体枠１の縦枠体１１ａ、１１ｂと支持枠２を構成する各枠体１５ａ、１５ｂ、１６ａ、１６ｂ、１７ａ、１７ｂ、１８ａ、１８ｂに取付けられている。すなわち、これらの各網３は各面部を覆う平面を形成するもので。全体が張った状態となるように縁部が各枠体に取付けられる。これにより網３は支持枠２の内部とを仕切り、支持枠２の内部に多面体の空間部Ｎを形成している。
【００１５】
なお、空間部Ｎは建築物１０１に面した後面部が開放されており、戸枠１０４を開放することにより建築物１０１の室内に面して開放することができる。
【００１６】
支持枠２における上面部には屋根板１９が水平に配置されている。この屋根板１９は上面部を覆うもので、本体枠１の縦枠体１１ａ、１１ｂ、横枠体１２ａと、支持枠２を構成する各枠体１５ａ、１５ｂ、１６ａ、１７ａ、１７ｂに取付けられている。この屋根板１９は上面部と同じ台形をなすもので、外部へ向けて低くなるように傾斜して設けられてごみや雨水が溜まらないようにしている。
【００１７】
支持枠２の下面部には載置台４が水平に配置されている。すなわち、載置台４は支持枠２と網３とで構成される空間部Ｎの内側に配置される。この載置台４はアルミニウムなどの軽量で強度が高いな金属からなる板材で、この載置台４は本体枠１の下側の横枠体１２ｂ、支持枠２の下側の支持枠体１８ａ、１８ｂ、下側の横枠体１６ｂに取付けられている。
【００１８】
なお、載置台４はその強度を高めるために補強する構造とすると良い。例えば図示しない補強部材を設けて載置台を支える。この載置台４を取付ける構成は、例えば載置台４を各枠体に載せてねじで止める。
【００１９】
載置台４には物品載置部の一例である鉢載置部５が一体に設けられている。この鉢載置部５は複数個の丸い鉢Ｈを載置台４の長さ方向（本体枠の幅方向）に並べて配置して着脱可能に支持するもので、例えば丸い鉢Ｈを受ける円形の凹部が間隔を存して設けられている。鉢載置部５は例えば載置台４に溶接して一体に固定されている。
【００２０】
そして、このように構成された戸装置は、通常使用されている網戸と同様に本体枠１を建築物１０１のサッシュ１０２に配置して、本体枠１の下部に設けたローラ１４をサッシュ１０２の下部に設けたレール１０６に載せて係合するとともに、本体枠１の上部に設けた溝１３をサッシュ１０２の上部に設けたレール１０６に係合する。これにより本体枠１がサッシュ１０２に着脱可能で且つ左右水平方向に沿い移動自在に支持される。本体枠はサッシュ１０２の左側半間部また右側半間部に移動させておく。なお、本体枠１に図示しない固定手段を設け、この固定手段を用いて本体枠１をサッシュ１０２の外枠１０３に固定して、本体枠１がみだりに移動しないように固定するとともに、本体枠１をサッシュ１０２と一体化して剛性を付加させることができる。
【００２１】
草花や小さい樹木などの植物を植えた複数の丸い鉢Ｈを用意し、この鉢Ｈは支持枠２の下部に設けた載置台４の各鉢載置部５に上側から嵌め込んで配置する。このため、支持枠２において網３で囲まれた空間部に草花や小さい樹木を植えた複数の鉢Ｈを置くことができる。
【００２２】
この戸装置１０７は、支持枠２に張った網３により、本体枠１をサッシュ１０２の外枠１０３に装着して網戸として使用する。また、同時に支持枠２の下面部を利用（載置台４の鉢載置部５）を利用して草花や小さい樹木を植えた複数の鉢Ｈを置くため新たなスペースをつくり出すことができる。そして、この戸装置１０７は従来から使用されている網戸をサッシュ１０２に装着する場合と同じ作業で容易に装着することができる。
【００２３】
従って、この戸装置１０７は、本体枠１を建築物１０１に着脱可能および移動可能に取付け、鉢載置部５草花や木々などの植物を植えた鉢を置くことにより、スペース的に普段の生活の邪魔にならず、普段使用していない場所である窓などの戸枠に外部スペースを利用して草花や木々などの植物を置くための新たな容易にスペースをつくり出して気軽にガーデニングを行うことができる。
【００２４】
このため、この戸装置１０７は、生活の中に草花などの植物を置きたいという要望を持ちながら、実際には庭に草花や木々を置くスペースがなく、またスペース的に草花や木々を置く余裕がある広さのベランダや部屋を持たない都会で生活する人々にとって、その要望を実現して生活の中に身近な箇所に草花や樹木を置くことを可能にするものである。特に単身で比較的居住空間で生活している青年の身近な箇所に草花や樹木を置くことことを可能にするものである。
【００２５】
また、鉢載置部５が、この鉢載置部５とは別体の鉢Ｈを置く構成であるので、植物を植えた種々の鉢Ｈを個人の嗜好に応じて置くことができ、また鉢Ｈを簡単に交換することができる。
【００２６】
この実施の形態では載置台４における鉢載置部５が、この鉢載置部５とは別体の鉢Ｈを置く構成としているが、図５に示すように鉢載置部５に鉢Ｈを一体に設けた構成とすることもできる。図５は載置台４を拡大して示す前面図である。この場合には、鉢載置部５に鉢Ｈを一体に形成する、あるいは鉢Ｈを鉢載置部５に溶接やねじ止めなどの手段により固定する。このように載置台４の鉢載置部５が鉢Ｈを一体に設けた構成であると、植物を植えた鉢Ｈを鉢載置部５に置く必要が無く、植物自体を直接鉢Ｈに植えることができるので便利である。
【００２７】
図６は他の実施の形態における戸装置１０７を示す斜視図である。この実施の形態は、載置台４における鉢載置部として通常プランタと呼ばれる横長の四角い鉢Ｈを配置して載置する鉢載置部６を設けたものである。なお、図６において鉢載置部６を除く他の部分は図１に示す構成と同じであり、この図１と同じ部分は図１と同じ符号を付して示している。
【００２８】
図７は異なる他の実施の形態における戸装置１０７を示す斜視図である。この実施の形態では、載置台４における物品載置部として平坦面の物品載置部７を設けたものである。この物品載置部７は植物を植えた鉢、丸い鉢や横長の四角い鉢を配置して載置して鉢載置部として用いることができる。図７では丸い鉢Ｈを載置した場合を示している。なお、図７において物品載置部７を除く他の部分は図１に示す構成と同じであり、この図１と同じ部分は図１と同じ符号を付して示している。
【００２９】
図８はさらに異なる他の実施の形態における戸装置１０７を示す斜視図である。この実施の形態では、支持枠２に設ける仕切り体として網に代ってガラス板や合成樹脂板などの透明板、半透明板、あるいは不透明板や着色板からなる板材８を用いている。この構成ではサッシュにおいて戸装置１０７をガラス戸として用いることもできる。
【００３０】
この実施の形態では、物品載置部して図７に示す平坦な物品載置部７を採用している。この物品載置部７には、植物を植えた鉢Ｈを載置することもできるし、置き時計や置物などの物品９を載置して飾り棚のようにして用いることもできる。この場合はスース的に普段の生活の邪魔にならず、普段使用していない場所であるサッシュの戸枠に外部スペースを利用して物品を置くための飾り棚などの新たなスペースを作り出すことができる。なお、図８において板材８を除く他の部分は図７に示す構成と同じで、この図７と同じ部分は図７と同じ符号を付して示している。
【００３１】
なお、本発明は前述した実施の形態に限定されず、種々変形して実施することができる。支持枠が構成する多面体の形状は実施の形態に限定されず、例えば屋根を円弧形にすることも可能である。
【００３２】
【発明の効果】
本発明の戸装置によれば、本体枠を建築物に着脱可能に取付け、物品鉢載置部に物品、例えば植物を植えた鉢を置くことにより、スペース的に普段の生活の邪魔にならず、普段使用していない場所である窓などの戸枠に外部スペースを利用して植物などの物品を置くための新たなスペースを作り出して生活に豊かさをもたらすことができる。
【図面の簡単な説明】
【図１】本発明の一実施の形態にかかわる戸装置およびサッシュを示す前面図。
【図２】同実施の形態にかかわる戸装置を示す斜視図。
【図３】同実施の形態にかかわる戸装置を示す図。
【図４】同実施の形態の戸装置に設ける載置台を示す図。
【図５】同実施の形態の戸装置に設ける載置台を示す図。
【図６】他の実施の形態にかかわる戸装置を示す斜視図。
【図７】異なる他の実施の形態にかかわる戸装置を示す斜視図。
【図８】さらに異なる他の実施の形態にかかわる戸装置を示す斜視図。
【符号の説明】
１…本体枠
２…支持枠
３…網
４…載置台
５…鉢載置部
６…鉢載置部
７…物品載置部
８…板体
９…物品
１１ａ…縦枠体
１１ｂ…縦枠体
１２ａ…横枠体
１２ｂ…横枠体
１３…溝
１４…ローラ
１５ａ…縦枠体
１５ｂ…縦枠体
１６ａ…横枠体
１６ｂ…横枠体
１７ａ…支持枠体
１７ｂ…支持枠体
１８ａ…支持枠体
１８ｂ…支持枠体
１０１…建築物
１０２…サッシュ
１０３…外枠
１０４…戸枠
１０５…ガラス板
１０６…レール
１０７…戸装置
１０８…レール
Ｈ…鉢
【図１】
2004092192.tif 000003
【図２】
2004092192.tif 000004
【図３】
2004092192.tif 000005
【図４】
2004092192.tif 000006
【図５】
2004092192.tif 000007
【図６】
2004092192.tif 000008
【図７】
2004092192.tif 000009
【図８】
2004092192.tif 000010